(57)【特許請求の範囲】
【請求項１】
操作者による回転操作に応じて回転軸周りに回転可能な操作部材と、
前記操作部材の回転速度を検出する回転速度検出手段と、
前記操作部材に対する前記操作者の手指の接触有無を検出する接触有無検出手段と、
前記操作部材に対する前記操作者の操作入力に応じた表示を行なう表示手段と、
複数の表示項目を記憶する記憶手段と、
前記回転速度検出手段によって検出された前記回転速度および前記接触有無検出手段によって検出された前記接触有無の少なくとも何れかに応じて前記表示手段に表示される前記複数の表示項目のスクロール表示を制御する制御手段と、
を備え、
前記制御手段は、
前記回転速度検出手段によって検出された前記回転速度が所定回転速度以上の状態で前記接触有無検出手段によって前記操作部材に対する前記操作者の手指の接触有りから接触無しへの切り替わりが検出された場合に、この切り替わりのタイミングの後の前記操作部材の回転状態にかかわりなく、前記複数の表示項目のスクロール表示を自動的に継続させ、前記複数の表示項目のスクロール表示を自動的に継続させている状態で前記接触有無検出手段によって前記操作部材に対する前記操作者の手指の接触無しから接触有りへの切り替わりが検出された場合に、基準位置の最寄りの表示項目を前記基準位置に停止させるようにして前記複数の表示項目のスクロール表示の継続を停止する、
ことを特徴とする操作装置。
【請求項２】
前記制御手段は、
前記切り替わりのタイミングの後に前記複数の表示項目のスクロール表示を自動的に継続させる際に、前記切り替わりのタイミングで前記回転速度検出手段によって検出された前記回転速度に応じた減速状態でスクロール速度をゼロに向かい減速させる、
ことを特徴とする請求項１に記載の操作装置。
【請求項３】
前記操作装置は車両に搭載され、
前記制御手段は、前記車両の走行状態に応じて前記減速状態を変更可能である、
ことを特徴とする請求項２に記載の操作装置。
【請求項４】
前記接触有無検出手段は、前記操作部材に近接して配置された静電容量検出手段を備える、
ことを特徴とする請求項１から請求項３の何れか１つに記載の操作装置。
【請求項５】
前記操作部材は、前記操作部材の回転の所定角度ごとに節度感を付与する節度感付与部材を備え、
前記静電容量検出手段は、前記節度感付与部材に接続されている、
ことを特徴とする請求項４に記載の操作装置。
【請求項６】
前記静電容量検出手段は、前記操作部材の回転軸の軸方向に前記操作部材から所定距離だけ離間した位置に配置されている、
ことを特徴とする請求項４に記載の操作装置。
【請求項７】
前記回転速度検出手段は、前記操作部材の回転の角度を検出する回転角度検出手段を備え、
前記回転角度検出手段は、前記操作部材に対する操作者の回転操作に応じてスクロール移動する前記複数の表示項目の各々の位置が基準位置に一致する状態での前記角度と、前記複数の表示項目の各々の位置が前記基準位置に一致しない状態での前記角度とを、区別して検出可能な検出分解能を有する、
ことを特徴とする請求項１から請求項６の何れか１つに記載の操作装置。
【発明の詳細な説明】
【技術分野】
【０００１】
この発明は、操作装置に関する。
【背景技術】
【０００２】
従来、回転操作可能な円盤状の操作子の回転方向、回転速度、回転変化量、および操作子に対する操作者の手指の接触有無などに応じて、オーディオデータの読み出し速度、読み出し順序、およびスクラッチ再生などの特殊再生を制御する再生装置が知られている（例えば、特許文献１参照）。
【先行技術文献】
【特許文献】
【０００３】
【特許文献１】特開２００８−１３５１４７号公報
【発明の概要】
【発明が解決しようとする課題】
【０００４】
ところで、上記従来技術に係る再生装置において、操作子の操作に応じてインターフェースが動作するだけでは、快適な操作性を実現することはできない。例えば、操作子を操作中のインターフェースの動作が、操作停止時または操作者の手指が操作子から離れた時点で停止されるだけでは、操作の快適性および心地よさが損なわれてしまう虞がある。これに対して、操作子の操作の快適性およびインターフェースの動きの心地よさを向上させることが望まれている。
【０００５】
本発明は上記事情に鑑みてなされたもので、操作の快適性およびインターフェースの動きの心地よさを向上させることが可能な操作装置を提供することを目的としている。
【課題を解決するための手段】
【０００６】
上記課題を解決して係る目的を達成するために、本発明は以下の態様を採用した。
（１）本発明の一態様に係る操作装置は、操作者による回転操作に応じて回転軸（例えば、実施形態の回転軸２２）周りに回転可能な操作部材（例えば、実施形態の操作部材２１）と、前記操作部材の回転速度を検出する回転速度検出手段（例えば、実施形態の回転検出部３２）と、前記操作部材に対する前記操作者の手指の接触有無を検出する接触有無検出手段（例えば、実施形態の静電容量検出部３１）と、前記操作部材に対する前記操作者の操作入力に応じた表示を行なう表示手段（例えば、実施形態の表示部１２）と、複数の表示項目を記憶する記憶手段（例えば、実施形態の記憶部１４）と、前記回転速度検出手段によって検出された前記回転速度および前記接触有無検出手段によって検出された前記接触有無の少なくとも何れかに応じて前記表示手段に表示される前記複数の表示項目のスクロール表示を制御する制御手段（例えば、実施形態の制御部１５）と、を備え、前記制御手段は、前記回転速度検出手段によって検出された前記回転速度が所定回転速度以上の状態で前記接触有無検出手段によって前記操作部材に対する前記操作者の手指の接触有りから接触無しへの切り替わりが検出された場合に、この切り替わりのタイミングの後の前記操作部材の回転状態にかかわりなく、前記複数の表示項目のスクロール表示を自動的に継続させ、前記複数の表示項目のスクロール表示を自動的に継続させている状態で前記接触有無検出手段によって前記操作部材に対する前記操作者の手指の接触無しから接触有りへの切り替わりが検出された場合に、基準位置の最寄りの表示項目を前記基準位置に停止させるようにして前記複数の表示項目のスクロール表示の継続を停止する。
【０００７】
（２）上記（１）に記載の操作装置では、前記制御手段は、前記切り替わりのタイミングの後に前記複数の表示項目のスクロール表示を自動的に継続させる際に、前記切り替わりのタイミングで前記回転速度検出手段によって検出された前記回転速度に応じた減速状態でスクロール速度をゼロに向かい減速させてもよい。
【０００９】
（３）上記（２）に記載の操作装置では、前記操作装置は車両に搭載され、前記制御手段は、前記車両の走行状態に応じて前記減速状態を変更可能であってもよい。
【００１０】
（４）上記（１）から（３）の何れか１つに記載の操作装置では、前記接触有無検出手段は、前記操作部材に近接して配置された静電容量検出手段（例えば、実施形態の静電容量プローブ）を備えてもよい。
【００１１】
（５）上記（４）に記載の操作装置では、前記操作部材は、前記操作部材の回転の所定角度ごとに節度感を付与する節度感付与部材（例えば、実施形態のクリックピン２４）を備え、前記静電容量検出手段は、前記節度感付与部材に接続されてもよい。
【００１２】
（６）上記（４）に記載の操作装置では、前記静電容量検出手段は、前記操作部材の回転軸の軸方向に前記操作部材から所定距離だけ離間した位置に配置されてもよい。
【００１３】
（７）上記（１）から（６）の何れか１つに記載の操作装置では、前記回転速度検出手段は、前記操作部材の回転の角度を検出する回転角度検出手段（例えば、実施形態の回転検出部３２が兼ねる）を備え、前記回転角度検出手段は、前記操作部材に対する操作者の回転操作に応じてスクロール移動する前記複数の表示項目の各々の位置が基準位置に一致する状態での前記角度と、前記複数の表示項目の各々の位置が前記基準位置に一致しない状態での前記角度とを、区別して検出可能な検出分解能を有してもよい。
【発明の効果】
【００１４】
上記（１）に記載の態様に係る操作装置によれば、操作部材から操作者の手指が離れた後に、操作部材の回転状態にかかわりなく、複数の表示項目のスクロール表示を自動的に継続させるので、例えば操作部材の回転状態に連動したスクロール表示のみが行なわれる場合に比べて、操作の快適性およびスクロール表示の動きの心地よさを向上させることができる。
さらに、所望の表示項目が他の表示項目よりも基準位置に近い状態であれば、所望の表示項目を基準位置に停止させることができるので、利便性を向上させることができる。
さらに、上記（２）の場合、予め、操作の快適性およびスクロール表示の動きの心地よさを喚起するような回転速度と減速状態との所定の対応関係を示すマップなどを作成しておくことにより、複数の表示項目のスクロール表示を適切に減速させることができる。
【００１５】
さらに、上記（３）の場合、車両の走行状態に応じて変化する操作者の感覚および操作意思などを考慮して、操作の快適性およびスクロール表示の動きの心地よさを喚起するような減速状態を設定することができる。
【００１６】
さらに、上記（４）の場合、構成が複雑になることを防止することができる。例えば、回転する操作部材に静電容量検出手段を備える場合には、静電容量検出手段から出力される信号を制御手段に伝達するための特別な構成（スリップリングなど）が必要になる。これに対して、静電容量検出手段を操作部材に近接して配置することにより、特別な構成を必要とせずに、静電容量検出手段から出力される信号を制御手段に伝達することができる。
さらに、上記（５）の場合、節度感付与部材は操作部材に接触するので、節度感付与部材を介して操作部材の静電容量変化を検出することができ、特別な構成が必要になることを防止することができる。
さらに、上記（６）の場合、操作部材に非接触であっても、回転軸の軸方向の位置であれば、操作部材の静電容量変化を検出可能な大きさの静電容量検出手段を容易に配置することができる。
【００１７】
さらに、上記（７）の場合、複数の表示項目の各々の位置が基準位置に一致する状態と、隣り合う表示項目の間に基準位置が存在する状態と、を区別して認識することができ、操作の精細性を向上させることができる。
【図面の簡単な説明】
【００１８】
【図１】本発明の実施形態に係る操作装置の構成図である。
【図２】本発明の実施形態に係る操作装置の操作部の構成図である。
【図３】本発明の実施形態に係る操作装置の操作部に対する操作者の操作入力の例を示す図であり、（Ａ）は手指を接触させた回転操作を示す図であり、（Ｂ）は回転軸方向の押下操作を示す図であり、（Ｃ），（Ｄ）は手指を一時的に接触させた回転操作を示す図である。
【図４】本発明の実施形態に係る操作装置のアルバムザッピングおよびトラックザッピングの各モードにおける表示部での表示の例を示す図である。
【図５】本発明の実施形態に係る操作装置のアルバムザッピングのモードにおいて、操作部に対して手指を接触させた回転操作が行われた場合の表示部での表示の例を示す図である。
【図６】本発明の実施形態に係る操作装置のアルバムザッピングのモードにおいて、操作部に対して手指を一時的に接触させた回転操作が行われた場合の表示部での表示の例を示す図である。
【図７】本発明の実施形態に係る操作装置の操作部に対して手指を一時的に接触させた所定回転速度以上の回転操作が行われた場合において、（Ａ）はスクロール表示の移動距離の時間変化の一例を示す図であり、（Ｂ）はスクロール表示の回転速度の時間変化の一例を示す図である。
【図８】本発明の実施形態の変形例に係る操作装置の操作部の構成図であり、（Ａ）は斜視図であり、（Ｂ）は側断面図である。
【発明を実施するための形態】
【００１９】
以下、本発明の一実施形態に係る操作装置について添付図面を参照しながら説明する。
【００２０】
本実施の形態による操作装置１０は、図１に示すように、操作部１１と、表示部１２と、スピーカー１３と、記憶部１４と、制御部１５と、を備えている。操作装置１０は、例えば車両に搭載されている。
操作部１１は、図２に示すように、円環板状の操作部材２１と、操作部材２１に固定された回転軸２２と、回転軸２２に固定された回転部材２３と、回転部材２３の外周部から径方向の外方に突出するクリックピン２４と、を備えている。
【００２１】
操作部１１は、例えば、回転軸２２が軸受部材（図示略）によって回転可能に支持されることで、この回転軸２２周りに回転可能とされている。これにより、例えば、図３（Ａ）に示すように、操作部材２１に接触した操作者の手指Ｐによって回転操作が入力されると、操作部材２１、回転軸２２、回転部材２３、およびクリックピン２４が一体に回転軸２２周りに回転する。
なお、クリックピン２４は、例えば、回転部材２３の周囲に配置された適宜の係合部材（図示略）に接触可能に設けられ、弾性変形および弾性復帰が可能とされている。クリックピン２４は、操作部１１の所定角度毎の回転に伴って係合部材に接触して、弾性変形する。このときに、クリックピン２４の弾性力に起因する節度感が操作部材２１に付与される。そして、クリックピン２４の弾性変形によって、係合部材とクリックピン２４との接触が解除されると、クリックピン２４は弾性復帰する。そして、操作部１１が、さらに所定角度毎だけ回転したときに、再び、クリックピン２４が係合部材に接触する。
【００２２】
また、操作部１１は、例えば、操作部材２１もしくは回転部材２３の内部において、操作部材２１を回転軸２２の軸方向で回転部材２３から離間する方向に付勢する付勢部材（図示略）を備え、外力が作用しない状態で操作部材２１を軸方向の基準位置に停止させる。操作部材２１は、付勢部材の付勢力に抗う外力が作用したときに回転軸２２の軸方向で基準位置から回転部材２３に近接する方向の所定位置まで移動可能である。これにより、例えば、図３（Ｂ）に示すように、操作部材２１に接触した操作者の手指Ｐによって軸方向で回転部材２３に近接する方向に押下操作が入力されると、操作部材２１が軸方向の基準位置から所定位置まで復帰可能に移動する。
【００２３】
なお、操作部１１は、回転軸２２周りの回転が回転軸２２と軸受部材（図示略）との間の摩擦などに応じた既定の減速状態で減速するように構成されている。これにより、例えば、図３（Ｃ），（Ｄ）に示すように、操作部材２１に接触した操作者の手指Ｐによって回転操作が入力された後に、操作者の手指Ｐが操作部材２１から離れた場合には、操作部１１の回転は既定の減速状態の減速を経て停止される。
【００２４】
操作部１１は、例えば、クリックピン２４に備えられた静電容量プローブ（図示略）に接続された静電容量検出部３１を備えている。静電容量検出部３１は、静電容量プローブから出力される操作部材２１の静電容量の変化を示す信号を用いて、操作部材２１に対する操作者の手指の接触の有無を検出する。そして、この検出信号を出力する。
操作部１１は、例えば、回転部材２３に備えられた光センサもしくはロータリーエンコーダなどの回転角センサ（図示略）に接続された回転検出部３２を備えている。回転検出部３２は、回転角センサから出力される回転角の信号を用いて、操作者の回転操作に応じた操作部材２１の回転速度を検出する。そして、この検出信号を出力する。
操作部１１は、例えば、回転軸２２に備えられたスイッチなどの押下センサ（図示略）に接続された押下検出部３３を備えている。押下検出部３３は、押下センサから出力される操作部材２１の軸方向の移動有無の信号を用いて、操作部材２１に対する操作者の押下操作の有無を検出する。そして、この検出信号を出力する。
【００２５】
表示部１２は、例えば液晶表示装置などであって、制御部１５から出力される指令信号によって、操作部材２１に対する操作者の操作入力などに応じた画像および文字などを表示する。
スピーカー１３は、制御部１５から出力される指令信号によって、操作部材２１に対する操作者の操作入力などに応じた音データ（楽曲データなど）、音声、および信号音などを出力する。
記憶部１４は、表示部１２に表示される画像データと、スピーカー１３から出力される音データ、音声データ、および信号音データと、各画像データおよび音データの名称などからなる文字データと、などを記憶している。
【００２６】
制御部１５は、ＣＰＵ（Central Processing Unit）と、ＲＡＭ（Random Access Memory）などの記憶部１４よりも小容量かつ高速な記憶媒体（図示略）と、タイマーとなどの電子回路により構成されている。制御部１５は、操作部１１から出力される検出信号などに応じて、表示部１２の動作およびスピーカー１３の動作などを制御するための指令信号を出力する。
【００２７】
本実施の形態による操作装置１０は上記構成を備えており、次に、この操作装置１０の動作について説明する。
なお、以下において、操作装置１０の動作として、記憶部１４に記憶されている複数の音データを選択する操作について説明する。
制御部１５は、音データとして、複数のオーディオトラック（トラック）のデータから成るアルバムのデータを操作対象とする際には、アルバムザッピングのモードと、トラックザッピングのモードと、を切り替えて実行する。
アルバムザッピングのモードは、記憶部１４などに記憶された複数のアルバムのデータのうちの再生候補を次々に切り替えながら何れか１つを再生対象として選択可能なモードである。トラックザッピングのモードは、アルバムザッピングのモードで選択された１つのアルバムを構成する複数のトラックのデータのうちの再生候補を次々に切り替えながら何れか１つを再生対象として選択可能なモードである。
【００２８】
（各モードでの表示）
図４に示すように、制御部１５は、アルバムザッピングのモードでは、表示部１２においてスクロール表示可能な複数の表示項目の各々に異なるアルバムを対応付けて、各アルバムの写真などの画像データと、各アルバムの名称および各アルバムで現時点に再生対象となっているトラックの名称などからなる文字データとを、各表示項目として表示する。
また、制御部１５は、トラックザッピングのモードでは、アルバムザッピングのモードにおける各表示項目の一部のデータ、例えば画像データのみを表示部１２においてスクロール表示不可に固定して、かつアルバムザッピングのモードとは異なる形態で表示する。さらに、表示部１２においてスクロール表示可能な複数の表示項目の各々に、現時点の再生対象のアルバムを構成する異なるトラックを対応付けて、各トラックの名称などからなる文字データを、各表示項目として表示する。
なお、制御部１５は、音データの再生候補に対応する表示項目を選択候補とし、音データの再生対象に対応する表示項目を選択対象としている。
【００２９】
例えば図４に示す表示部１２においては、アルバムザッピングおよびトラックザッピングの各モードにおいて、各アルバムの画像データＡ，Ｂ，…，Ｅが表示されている。また、アルバムザッピングのモードにおいて、各アルバムの名称および各アルバムで再生対象となっているトラックの名称からなる文字データ「アルバムＡ  トラックａ」，「アルバムＢ  トラックｂ」，…，「アルバムＥ  トラックｅ」が表示されている。また、トラックザッピングのモードにおいて、再生対象のアルバムを構成する各トラックの名称からなる文字データ「トラックａ−１」，「トラックａ」，…，「トラックａ＋２」が表示されている。また、アルバムザッピングのモードにおける各アルバムの画像データＡ，Ｂ，…，Ｅの枠形状と、トラックザッピングのモードにおける各アルバムの画像データＡ，Ｂ，…，Ｅの枠形状とは、異なる形状で表示されている。
【００３０】
制御部１５は、アルバムザッピングのモードとトラックザッピングのモードとにおいて、スクロール表示のスクロール方向が異なるように設定している。例えば、表示部１２の横方向および縦方向をＸ方向およびＹ方向とする２次元直交座標系において、アルバムザッピングではＹ方向を、トラックザッピングではＸ方向（または、Ｘ方向に鋭角で交差する方向）を、各スクロール方向としている。これに伴い、制御部１５は、アルバムザッピングおよびトラックザッピングの各モードにおいて、操作者の手指による操作部材２１に対する回転操作に伴う操作部１１の回転軸２２周りの回転に応じて、表示項目を各スクロール方向にスクロール移動させる。
【００３１】
制御部１５は、操作者の手指による操作部材２１に対する軸方向の押下操作の入力に応じてアルバムザッピングとトラックザッピングとの各モードの実行を切り替える。例えば、制御部１５は、アルバムザッピングのモードで押下検出部３３によって操作部材２１に対する操作者の押下操作が検出されると、トラックザッピングのモードに切り替える。一方、トラックザッピングのモードで押下検出部３３によって操作部材２１に対する操作者の押下操作が検出されると、アルバムザッピングのモードに切り替える。
【００３２】
制御部１５は、アルバムザッピングとトラックザッピングとの各モードの実行を切り替える場合に、第１遷移動画または第２遷移動画を表示して、操作部１１による操作者の各種操作入力の受け付けを一時的に無効にする。
【００３３】
（手指の継続的な接触状態に応じたスクロール表示）
制御部１５は、アルバムザッピングおよびトラックザッピングの各モードにおいて、操作部材２１に接触した操作者の手指によって回転操作が入力されると、この回転操作の操作量および操作速度に応じた移動量および移動速度で各表示項目をスクロール移動させる。
例えば、図５に示すアルバムザッピングにおいて、制御部１５は、操作部材２１に接触した操作者の手指によって回転操作が入力されると、この操作量に応じた移動量ΔＹ、操作方向に応じた移動方向、および操作速度に応じた移動速度で表示項目をスクロール移動させる。
【００３４】
（手指の一時的な接触状態を契機とするスクロール表示）
制御部１５は、アルバムザッピングおよびトラックザッピングの各モードにおいて、操作部材２１に接触した操作者の手指によって所定回転速度以上の回転操作が入力された後に、操作者の手指が操作部材２１から離れた場合には、この後の操作部１１の回転状態にかかわりなく、表示項目のスクロール移動を自動的に継続させる。そして、表示項目のスクロール移動を自動的に継続させる際に、操作者の手指が操作部材２１から離れたタイミングで回転検出部３２によって検出された回転速度に応じた減速状態で表示項目の移動速度をゼロに向かい減速させる。
例えば、図６に示すアルバムザッピングにおいて、制御部１５は、先ず、操作部材２１に接触した操作者の手指によって回転操作が入力されると、この操作量に応じた移動量ΔＹ、操作方向に応じた移動方向、および操作速度に応じた移動速度で表示項目をスクロール移動させる。次に、操作者の手指が操作部材２１から離れると、このタイミングで回転検出部３２によって検出された回転速度に応じた所定の減速状態で表示項目の移動速度をゼロに向かい減速させる。これにより、回転速度および所定の減速状態に応じた移動量Ｙ（＞ΔＹ）で表示項目をスクロール移動させる。
【００３５】
制御部１５は、所定の減速状態として、例えば図７（Ａ）に示すように、操作者の手指が操作部材２１から離れたときの操作部材２１の回転速度に応じた時間ｔ１および移動距離Ｌ１を用いて、スクロール移動の移動距離が時間ｔ１経過後の移動距離Ｌ１に向かい徐々に増大率が低下するように設定可能である。また、例えば図７（Ｂ）に示すように、操作者の手指が操作部材２１から離れたときの操作部材２１の回転速度に応じた時間ｔ１および移動速度Ｒ１を用いて、スクロール移動の移動速度が移動速度Ｒ１から時間ｔ１経過後のゼロに向かい徐々に低下するように設定可能である。
【００３６】
また、制御部１５は、表示項目のスクロール移動を自動的に継続させている状態で静電容量検出部３１によって操作部材２１に対する操作者の手指の接触無しから接触有りへの切り替わりが検出された場合に、基準位置の最寄りの表示項目を基準位置に停止させるようにして複数の表示項目のスクロール移動の継続を停止する。基準位置は、例えば、スクロール表示の表示範囲の中心位置などである。
【００３７】
上述したように、本実施形態による操作装置１０によれば、操作部材２１から操作者の手指が離れた後に、操作部材２１の回転状態にかかわりなく、複数の表示項目のスクロール表示を自動的に継続させる。つまり、操作部材２１の回転が摩擦力などによって停止した状態であっても、複数の表示項目のスクロール表示を自動的に継続することができる。これにより、例えば操作部材２１の回転状態に連動したスクロール表示のみが行なわれる場合に比べて、操作の快適性およびスクロール表示の動きの心地よさを向上させることができる。
さらに、予め、操作の快適性およびスクロール表示の動きの心地よさを喚起するような回転速度と減速状態との所定の対応関係を示すマップなどを作成しておくことにより、複数の表示項目のスクロール表示を適切に減速させることができる。
さらに、複数の表示項目のスクロール表示を自動的に継続させている状態で操作部材２１に操作者の手指が接触したときに、所望の表示項目が他の表示項目よりも基準位置に近い状態であれば、所望の表示項目を基準位置に停止させることができるので、利便性を向上させることができる。
【００３８】
また、例えば、回転する操作部材２１に静電容量プローブを備える場合には、静電容量プローブから出力される信号を静電容量検出部３１および制御部１５に伝達するための特別な構成（スリップリングなど）が必要になる。これに対して、静電容量プローブを操作部材２１に近接して既存の部材（つまり、クリックピン２４）に配置することにより、特別な構成を必要とせずに、静電容量プローブから出力される信号を静電容量検出部３１および制御部１５に伝達することができる。
【００３９】
（変形例）
なお、上述した実施形態において、静電容量プローブ（図示略）はクリックピン２４に備えられるとしたが、これに限定されず、操作部材２１に近接した他の位置に配置されてもよい。例えば、図８（Ａ），（Ｂ）に示すように、静電容量プローブ４１は、操作部１１の回転軸２２の軸方向に操作部材２１から所定距離だけ離間した位置に配置されてもよい。
この変形例によれば、回転軸２２の軸方向の位置であれば、操作部材２１の静電容量変化を検出可能な大きさの静電容量プローブ４１を容易に配置することができる。
【００４０】
なお、上述した実施形態において、制御部１５は、表示項目のスクロール移動を自動的に継続させる際の所定の減速状態を、操作装置１０を搭載する車両の走行状態に応じて変更してもよい。例えば、制御部１５は、車両の走行時に比べて、車両の停止時には、表示項目のスクロール移動の減速を抑制する。
これにより、車両の走行状態に応じて変化する操作者の感覚および操作意思などを考慮して、操作の快適性およびスクロール表示の動きの心地よさを喚起するような減速状態を設定することができる。
【００４１】
なお、上述した実施形態において、回転検出部３２は、操作部材２１に対する操作者の回転操作に応じてスクロール移動する複数の表示項目の各々の位置が基準位置に一致する状態での操作部材２１の回転の角度と、複数の表示項目の各々の位置が基準位置に一致しない状態での操作部材２１の回転の角度とを、区別して検出可能な検出分解能を有していてもよい。
これにより、複数の表示項目の各々の位置が基準位置に一致する状態と、隣り合う表示項目の間に基準位置が存在する状態と、を区別して認識することができ、操作の精細性を向上させることができる。
【００４２】
上述の実施形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施形態やその変形は、発明の範囲や要旨に含まれるとともに、特許請求の範囲に記載された発明とその均等の範囲に含まれる。
【００４３】
例えば、上述した実施形態において、クリックピン２４を操作部１１に備えるとしたが、これに限定されず、クリックピン２４を回転部材２３の周囲に固定してもよい。この場合には、回転部材２３の外周部にクリックピン２４に接触可能な係合部を設ければよい。
【符号の説明】
【００４４】
１０  操作装置
１１  操作部
１２  表示部（表示手段）
１３  スピーカー
１４  記憶部（記憶手段）
１５  制御部（制御手段）
２１  操作部材
２２  回転軸
２４  クリックピン（節度感付与部材）
３１  静電容量検出部（接触有無検出手段）
３２  回転検出部（回転角度検出手段）
４１  静電容量プローブ（静電容量検出手段）
【図１】
0005879317.tif 000002
【図２】
0005879317.tif 000003
【図３】
0005879317.tif 000004
【図４】
0005879317.tif 000005
【図５】
0005879317.tif 000006
【図６】
0005879317.tif 000007
【図７】
0005879317.tif 000008
【図８】
0005879317.tif 000009